(57)【要約】【目的】縦型空気調和機の制御基板における結露防止、ドレン水滴下防止の構造に関する。【構成】枠体６内には圧縮機１とコンデンサー２とエバポレータ４とで構成する冷凍サイクルを備え、枠体６の前面パネル６ａのほぼ中央には縦長の調和空気吹出口５を形成し、調和空気吹出口５に隣接する片側の前面パネル６ａには空気取入口７を設け、空気取入口７から調和空気吹出口５に至る送風通路８内にはエバポレータ４と送風ファン４ａを配置する。空気取入口７や調和空気吹出口５のない片側の枠体６内には制御基板室１０を設けて制御基板９を設置し、枠体６の前面パネル６ａを取外した時に制御基板９が露出して、制御基板９の着脱ができるようになっている。また、制御基板室１０と調和空気吹出口５に至る送風通路８の間には所定厚さをもつ断熱部材で形成した仕切り壁８ａを設けたので、冷気の流れ込みによる制御基板室１０の結露がなくなった。【選択図】          図１
2004361048.tif 000002
【特許請求の範囲】
【請求項１】
冷媒を高温高圧に圧縮する圧縮機１と、圧縮された高温のガス状冷媒を液化するコンデンサー２と、液化した冷媒が減圧器３を介して送られてガス化するエバポレータ４とを備え、ガス化した冷媒を圧縮機１に戻して再び圧縮する冷凍サイクルを構成する空気調和機であって、
前記コンデンサー２及びエバポレータ４のそれぞれを通過する空気流を得る送風ファン２ａ・４ａを備え、一方の送風ファン４ａの吐出口４ｂに連なる調和空気吹出口５は室内設置した枠体６の前面パネル６ａのほぼ中央で縦長に形成し、かつ、送風ファン４ａの調和空気吹出口５に隣接する片側の前面パネル６ａには空気取入口７を設け、
前記コンデンサー２もしくはエバポレータ４は空気取入口７と対向する枠体６内で空気取入口７から送風ファン４ａを経て調和空気吹出口５に至る送風通路８内に配置すると共に、
前記空気取入口７の反対側で調和空気吹出口５に隣接する片側の枠体６内には空気調和機の制御基板９を配置し、
前記枠体６の前面パネル６ａを取外した時に前記コンデンサー２もしくはエバポレータ４の表面が露出し、かつ、制御基板９の着脱ができるようになっていることを特徴とする縦型空気調和機。
【請求項２】
前記空気取入口７から調和空気吹出口５に至る送風通路８と枠体６内との間の仕切り壁８ａは所定厚さを持った断熱部材によって形成すると共に、該仕切り壁８ａから制御基板９側の枠体６の側方まで届く断熱部材による基板室壁１０ａを設け、該基板室壁１０ａと前面パネル６ａとの間で制御基板室１０を構成した請求項１記載の縦型空気調和機。
【請求項３】
前記空気取入口７から調和空気吹出口５に至る送風通路８内に配置したコンデンサー２もしくはエバポレータ４は、枠体６の前面パネル６ａ正面に位置する調和空気吹出口５付近から枠体６の側壁６ｂ方向に向けて、空気取入口７及び側壁６ｂとは小間隙を設けながら略く字形に形成したことを特徴とする請求項１記載の縦型空気調和機。
【発明の詳細な説明】
【０００１】
【産業上の利用分野】
この発明は、縦型空気調和機の制御基板における結露防止、ドレン水滴下防止の構造に関するものである。
【０００２】
【従来の技術】
縦型空気調和機は、枠体内にエバポレータ・コンデンサー・圧縮機等よりなる冷凍サイクルを備え、おおよそ建物の窓部分が境界となるように枠体内が仕切り壁によって前後に仕切られており、室外側にコンデンサーを、室内側にエバポレータを配置し、送風ファンによって室内空気が空気取入口から枠体内に送られてエバポレータを通過する時に冷却され、この冷却された室内空気を調和空気吹出口から室内に戻すことによって、室内空気の空気調和が行なわれる。
【０００３】
そして、縦型空気調和機の室内側にはその上部から中央部にかけて、エバポレータとクロスフローファンによる室内送風ファンとが配置され、一方、空気調和機の室内側のベースには圧縮機が配置され、それぞれエバポレータと圧縮機とを備えた部屋の間は仕切り板によって区画されている。そして、圧縮機や室内送風ファンや室外送風ファンなどを制御する制御基板は圧縮機を備えた部屋に配置してあり、この制御基板はエバポレータを備えた部屋の下部に配置されることになる。
【０００４】
【発明が解決しようとする課題】
前記エバポレータと圧縮機とを備えた部屋を仕切る仕切り板はエバポレータで結露したドレン水を回収するドレン受けの機能を有しておるが、滴下するドレンが飛散した時やドレン受けからあふれ時には圧縮機を備えた部屋に滴下することがあり、また、室内送風ファンの調和空気吹出口付近でも室内空気が触れて結露して滴下することがあり、この滴下した結露水が制御基板にかかる恐れがある。このため、この場所に配置する制御基板は完全に遮蔽した密閉状態とする防水対策を必要としており、メンテナンスで制御基板をチェックするときには、全体を覆う蓋体だけでなく、内部を密閉状態とするためのパッキングとか多数のネジ類などの部品を取外してから行わなければならず、この部品の取り外しは面倒で紛失しやすく、非常に不便な状態を作り出していた。
【０００５】
【課題を解決するための手段】
この発明は上記課題を解決するもので、冷媒を高温高圧に圧縮する圧縮機１と、圧縮された高温のガス状冷媒を液化するコンデンサー２と、液化した冷媒が減圧器３を介して送られてガス化するエバポレータ４とを備え、ガス化した冷媒を圧縮機１に戻して再び圧縮する冷凍サイクルを構成する空気調和機であって、前記コンデンサー２及びエバポレータ４のそれぞれを通過する空気流を得る送風ファン２ａ・４ａを備え、一方の送風ファン４ａの吐出口４ｂに連なる調和空気吹出口５は室内設置した枠体６の前面パネル６ａのほぼ中央で縦長に形成し、かつ、送風ファン４ａの調和空気吹出口５に隣接する片側の前面パネル６ａには空気取入口７を設け、前記コンデンサー２もしくはエバポレータ４は空気取入口７と対向する枠体６内で空気取入口７から送風ファン４ａを経て調和空気吹出口５に至る送風通路８内に配置すると共に、前記空気取入口７の反対側で調和空気吹出口５に隣接する片側の枠体６内には空気調和機の制御基板９を配置し、前記枠体６の前面パネル６ａを取外した時に前記コンデンサー２もしくはエバポレータ４の表面が露出し、かつ、制御基板９の着脱ができるようになっていることを特徴とする。
【０００６】
また、前記空気取入口７から調和空気吹出口５に至る送風通路８と枠体６内との間の仕切り壁８ａは所定厚さを持った断熱部材によって形成すると共に、該仕切り壁８ａから制御基板９側の枠体６の側方まで届く断熱部材による基板室壁１０ａを設け、該基板室壁１０ａと前面パネル６ａとの間で制御基板室１０を構成することにより、制御基板室１０の内壁部は空気調和機から吹出す冷気の熱伝導を受けることなく、室内空気が拡散しても結露することはない。
【０００７】
また、前記空気取入口７から調和空気吹出口５に至る送風通路８内に配置したコンデンサー２もしくはエバポレータ４は、枠体６の前面パネル６ａ正面に位置する調和空気吹出口５付近から枠体６の側壁６ｂ方向に向けて、空気取入口７及び側壁６ｂとは小間隙を設けながら略く字形に形成したことによって、コンデンサー２もしくはエバポレータ４は室内空気との間で確実に熱交換することができるようになった。
【０００８】
【作用】
従来の縦型空気調和機のように枠体の片側に縦長の調和空気吹出口があり、室内の壁に接近して吹出口を設けると、冷却空気が壁に沿って流れるために速やかに室内に循環せず、温度むらがおおきくなるものであったが、この発明の縦型空気調和機では枠体のほぼ中央に縦長の調和空気吹出口５を配置できたから、何れの壁に接近するように縦型空気調和機の枠体を設置しても、壁に沿って冷気が流れることはなく、縦型空気調和機の設置条件が大幅に緩和できた。
【０００９】
また、このように枠体のほぼ中央に縦型の調和空気吹出口を配置したから、エバポレータやコンデンサーを設置しない片側を制御基板室とすることができ、この制御基板室はエバポレータによるドレンが滴下する方向に位置しないから、周囲を防水対策部品で覆わずに開放でき、枠体の前面パネルを外すだけで前記制御基板が露出できて、簡単にメンテナンスができるようになる。
【００１０】
【実施例】
実施例を示す図によってこの構成を説明すると、６は縦型空気調和機の枠体、６ａは枠体６の前面パネル、６ｂは枠体６の側壁、１１は枠体６のベース、１は枠体６内のベース１１に取付けられた冷媒圧縮用の圧縮機、２は圧縮機１で加圧された高温のガス状冷媒を液化するコンデンサーである。３はコンデンサー２で液化した冷媒が減圧される減圧器、４は減圧器３を介して液化した冷媒が送られるエバボレータであり、前記減圧器３で減圧された冷媒はエバボレータ４に送られて気化し、この時エバボレータ４を低温度にするから空気調和機を設置した部屋を冷房することができる。また、エバポレータ４で気化した冷媒は圧縮機１に戻されることによって冷凍サイクルを構成している。
【００１１】
１２は建物の窓部分に設置された枠体６の内部を前後に仕切る隔壁、２ａ・４ａは隔壁１２の前後の枠体６内に配置した送風ファンであり、前記コンデンサー２は隔壁１２よりも室外側に配置し、エバポレータ４は隔壁１２よりも室内側に配置しており、前記隔壁１２がおおよそ建物の窓部分の境界となっている。
【００１２】
４ｂは隔壁１２の室内側に配置した送風ファン４ａの吐出口、７は前面パネル６ａに形成した室内空気のための空気取入口、５は前面パネル６ａに形成した調和空気吹出口、８は隔壁１２の室内側で空気取入口７から調和空気吹出口５に至る送風通路であり、前記送風通路８内には前記エバポレータ４と送風ファン４ａとが配置され、送風ファン４ａの吐出口４ｂが調和空気吹出口５にのぞませてある。
【００１３】
６ｃは枠体６内に設置したコンデンサー２と対向して室外側に設けた後面パネル、１３は後面パネル６ｃに設けた室外空気取入口、１４は枠体６の側壁６ｂに近い部分の後面パネル６ｃに設けた縦形の空気排出口、１５は隔壁１２の室外側で室外空気取入口１３から空気排出口１４に至る室外空気流路であり、前記室外空気取入口１３はコンデンサー２に対向する広い面積となるように形成されており、前記送風ファン２ａはコンデンサー２から空気排出口１４に至る室外空気流路１５内に設置してある。
【００１４】
１６は隔壁１２よりも室内側の部屋を上下に分ける仕切り板であり、仕切り板１６よりも上部の部屋には送風通路８とエバポレータ４が配置され、また、仕切り板１６よりも下部の部屋には圧縮機１が設置されている。１６ａは室内側の上部の部屋に設けたエバポレータ４で結露したドレン水を受け止めるドレン受け、１１ａは枠体６のベース１１に形成したドレン溜めであり、該ドレン受け１６ａは仕切り板１６の上に設けられ、集められたドレン水は仕切り板１６上の水路を経て枠体６のベース１１のドレン溜め１１ａに集められ、室外空気によって気化したり、適宜排水されている。
【００１５】
前記圧縮機１を運転して高温高圧になった冷媒が室外側のコンデンサー２に送られると、運転中の送風ファン２ａによって室外空気が室外空気取入口１３から室外空気流路１５に入ってコンデンサー２を通過し、この時に高圧高温の冷媒を冷却して液化すると共に、高温となった室外空気は空気排出口１４から外部に排出される。一方、コンデンサー２で液化した冷媒は減圧器３を通過する時に圧力を下げてエバポレータ４に送られ、運転中の送風ファン４ａによって室内空気が空気取入口７から送風通路８に入ってエバポレータ４を通過し、液化した冷媒はこの空気から熱を奪って気化すると共に、低温となった室内空気は調和空気吹出口５から室内に吹出し、室内を冷房することができる。
【００１６】
このように室内空気はエバポレータ４を通過する時に冷却されて冷風が得られるが、この時室内空気に含まれていた水分は結露して水滴となってエバポレータ４を伝って下方に滴下する。このドレン水は仕切り板１６のドレン受け１６ａで受け止められ、ベース１１のドレン溜め１１ａに流れる構成である。しかし、エバポレータ４から滴下する水滴の全量をドレン受け１６ａで受け止めることは実際上かなり困難で、水の飛沫が飛び出して仕切り板１６よりも下方の部屋を水浸しにすることがある。そして、従来ではこの仕切り板１６よりも下方の部屋には圧縮機１だけでなく空気調和機の制御部品も配置しているから、特に水に弱い制御部品は厳重な防水対策が必要であった。
【００１７】
この発明は隔壁１２よりも室内側の各種装備品の配置を変更することによって、非常に扱いやすい窓用空気調和機を提案するもので、８ａは片側が枠体６の前面パネル６ａに届き他側が枠体６の側壁６ｂに届く仕切り壁であり、枠体６の前面側の仕切り壁８ａの端に隣接して前記調和空気吹出口５を配置し、この調和空気吹出口５に隣接する片側に空気取入口７を配置している。１０はこの空気取入口７や調和空気吹出口５のない片側の枠体６内に配置した制御基板室、１０ａは枠体６の前面に向かう仕切り壁８ａから枠体６の側壁６ｂに届く基板室壁、９は基板室壁１０ａの前方の制御基板室１０に着脱自在に設置した制御基板であり、前記枠体６の室内側と室外側を分割する隔壁１２は仕切り壁８ａと基板室壁１０ａの一部で形成している。
【００１８】
空気調和機を運転すると室内側の送風ファン４ａも作動して、水蒸気を含んだ室内空気は前面パネル６ａの空気取入口７からエバポレータ４を通過して吸い込まれ、冷風となって送風ファン４ａの吐出口４ｂを経て前面パネル６ａのほぼ中央に配置した調和空気吹出口５から室内に吹出すことになる。この時、室内空気中の水蒸気はエバポレータ４を通過するときに冷却されて結露して、エバポレータ４の表面を伝って下方に流れて仕切り板１６のドレン受け１６ａに集められ、このドレン受け１６ａからベース１１のドレン溜め１１ａに流れて貯水され、または適所に排水される。
【００１９】
前記枠体６の前面パネル６ａは、各種部品を配置した枠体６に対して着脱可能に取付けられており、この前面パネル６ａを取外すことによって露出する各種部品をメンテナンスすることができる。即ち、前面パネル６ａを取外すとエバポレータ４や圧縮機１を設置した部屋を開放させることができるが、この発明では調和空気吹出口５の側方に制御基板室１０を配置したから、この制御基板室１０も開放させることができるようになり、メンテナンスが行いやすくなった。
【００２０】
また、この発明では調和空気吹出口５は枠体６の前面パネル６ａのほぼ中央に縦形で配置されたことにより、従来のこの種の空気調和機のように枠体の側壁に沿った位置に調和空気吹出口を配置したときのように、冷風が壁に沿って流れて室内に拡散しにくい現象は発生せず、室内に冷風が循環し易くなり、効率よく室内を冷却することができた。
【００２１】
一方、エバポレータ４を通過するときに冷却されて結露した室内空気中の水蒸気は、エバポレータ４の下方のドレン受け１６ａに集められるが、この結露したドレンの飛沫や、冷風によって低温となった調和空気吹出口５の表面で結露したドレン水は、ドレン受け１６ａで受け止めることはできず、仕切り板１６の下方の圧縮機１を設置した部屋に落下することがある。このため、従来ドレン受け１６ａ下方の圧縮機１を設置した部屋に配置される制御基板９は、メンテナンスを考慮して圧縮機１６よりも手前に設置され、エバポレータ４で結露したドレンの飛沫などから守るために厳重な防水対策が不可欠であった。
【００２２】
この発明は調和空気吹出口５に至る送風通路８との間に所定厚さを持った断熱部材によって形成する仕切り壁８ａを設け、この仕切り壁８ａに連続して制御基板室１０の基板室壁１０ａを設け、この送風通路８と隣接配置された制御基板室１０に制御基板９を設置している。
【００２３】
このように、調和空気吹出口５の側方に制御基板室１０を配置したから、エバポレータ４で結露したドレンの飛沫がかかるようなことはなくなって、厳重な防水対策が不要となり、前面パネル６ａを取外して簡単な操作で制御基板９の着脱ができ、メンテナンスが非常に簡単にできるようになったものである。
【００２４】
また、送風通路８と枠体６内との間の仕切り壁８ａは所定厚さを持った断熱部材によって形成することから、制御基板室１０への冷気の流れ込みがなくなり、冷気による制御基板室１０の表面での冷気による結露がなくなった。また、仕切り壁８ａから制御基板９側の枠体６の側方まで届く断熱部材による基板室壁１０ａによる結露もなくなった。
【００２５】
更に、図１における実施例において、枠体６の前面パネル６ａに設けた空気取入口７から前面パネル６ａ正面に位置する調和空気吹出口５に至る送風通路８内に配置したエバポレータ４は、この空気取入口７及び枠体６の側壁６ｂとは小間隙を設けながら略く字形に形成している。このため、送風通路８内の送風ファン４ａを運転すると、空気取入口７から入った室内空気の一部は直接エバポレータ４を通過すると共に、その他の空気は側壁６ｂとエバポレータ４との間の小間隙を経てエバポレータ４を通過して、冷却されるようになる。
【００２６】
尚、図１の実施例のように前面パネル６ａの一部が枠体６の側壁６ｂを構成するものであれば、空気取入口７は前面パネル６ａで構成する枠体６の側壁６ｂ部分に届く形状としても良く、また、他の実施例として枠体６の側部に位置する前面パネル６ａにも、別途空気取入口７を形成しても良い。この時は枠体６の側壁６ｂの空気取入口７から入った空気が、側壁６ｂとエバポレータ４との間の小間隙を経てエバポレータ４を通過することになる。
【００２７】
この発明では、枠体６の側壁との間で小間隙が形成できるようにコンデンサー２もしくはエバポレータ４を略く字形に形成したことにより、枠体６の前面パネル６ａに設けた空気取入口７の形状が従来よりも小さくとも、広い熱交換面積が実現でき、室内空気はコンデンサー２もしくはエバポレータ４の全体を使って通過することができ、確実に熱交換することができた。
【００２８】
【発明の効果】
以上のようにこの発明では、枠体６の前面パネル６ａのほぼ中央に調和空気吹出口５を配置し、前面パネル６ａを取外すと調和空気吹出口５の片側にコンデンサー２もしくはエバボレータ４の表面が露出し、他側に配置された制御基板９が開放されるから、前面パネル６ａを取外した状態でのメンテナンスが容易になると共に、枠体６の中央から調和空気が吹出し、効率よく室内の空気調和が実現できた。
【００２９】
また、調和空気吹出口５に至る送風通路８の仕切り壁８ａは所定厚さの断熱部材により構成し、制御基板９を収容する制御基板室壁１０ａを仕切り壁８ａに連続させたから、送風通路８に配置したエバボレータ４で結露したドレン水の飛沫が制御基板室１０にかからず、また、冷気が制御基板室１０に流れることがなくなった為、制御基板９での結露が発生せず、制御基板９の防水対策が不要となった。
【００３０】
空気取入口７から調和空気吹出口５に至る送風通路８内に配置したコンデンサー２もしくはエバボレータ４は、空気取入口７及び枠体６の側壁６ｂとは小間隙を設けながら略く字形に形成してあるため、前面パネル６ａの空気取入口７が従来品よりも狭くとも、コンデンサー２もしくはエバボレータ４を通過する空気は枠体６の側壁６ｂとの間の小間隙を経て流れ、室内空気は効率よく無駄なく熱交換ができるようになった。
【図面の簡単な説明】
【図１】この発明の実施例を示す縦型空気調和機の横断面図である。
【図２】この発明の実施例を示す縦型空気調和機の前面パネルを取外した正面図である。
【図３】この発明の実施例を示す縦型空気調和機の縦断面図である。
【符号の説明】
１    圧縮機
２    コンデンサー
２ａ  送風ファン
３    減圧器
４    エバボレータ
４ａ  送風ファン
４ｂ  吐出口
５    調和空気吹出口
６    枠体
６ａ  前面パネル
６ｂ  側壁
７    空気取入口
８    送風通路
８ａ  仕切り壁
９    制御基板
１０    制御基板室
１０ａ  基板室壁
【図１】
2004361048.tif 000003
【図２】
2004361048.tif 000004
【図３】
2004361048.tif 000005